(57)【要約】【課題】  コミュニティ属性と、エンドユーザのコミュニティ属性に関わる嗜好のマッチングに基づき、コミュニケーションの場として各エンドユーザ毎に適切なBlogコミュニティを推薦する。【解決手段】  本発明は、Blogコミュニティ分析装置において、コミュニティ定義情報に基づいてコミュニティを構成する各Blogのコンテンツを分析して、規模、活発度、開放度のいずれか１つ以上のコミュニティの属性情報を算出して、コミュニティ推薦条件に合致するBlogコミュニティを検索し、検索結果として得られたコミュニティ情報を、コミュニティ情報をエンドユーザ端末からのリクエストに応じて画面表示させる。【選択図】  図１
2007102635.tif 000002
【特許請求の範囲】
【請求項１】
Blog（ブログ）コミュニティ分析装置とBlogコミュニティ推薦装置を有するシステムにおけるBlogコミュニティ推薦方法であって、
前記Blogコミュニティ分析装置において、
相互コミュニケーションを行っている複数のBlogの集合の定義情報であるコミュニティ定義情報が格納されたコミュニティ定義情報記憶手段から該コミュニティ定義情報を取得して、Blogコミュニティを構成する各Blogのコンテンツを分析して、規模、活発度、開放度のいずれか１つ以上のコミュニティの属性情報を算出して、属性情報記憶手段に格納し、
前記Blogコミュニティ推薦装置において、
エンドユーザ端末からエンドユーザの所望のコミュニティ属性に関わるコミュニティ推薦条件を取得し、
前記コミュニティ推薦条件に合致するBlogコミュニティの検索を前記Blogコミュニティ分析装置に要求し、
前記Blogコミュニティ分析装置において、
前記Blogコミュニティ推薦装置からの要求である前記コミュニティ推薦条件に基づいて、前記コミュニティ定義情報記憶手段及び前記前記属性情報記憶手段を検索し、検索結果として得られたからコミュニティ定義情報及び属性情報をコミュニティ情報として該Blogコミュニティ推薦装置に送信し、
前記Blogコミュニティ推薦装置において、
前記コミュニティ情報を前記エンドユーザ端末からのリクエストに応じて画面表示させる、
ことを特徴とするBlogコミュニティ推薦方法。
【請求項２】
Blog（ブログ）コミュニティ分析装置とBlogコミュニティ推薦装置を有するBlogコミュニティ推薦システムであって、
前記Blogコミュニティ分析装置は、
相互コミュニケーションを行っている複数のBlogの集合の定義情報であるコミュニティ定義情報を格納するコミュニティ定義情報記憶手段と、
前記コミュニティ定義情報記憶手段から該コミュニティ定義情報を取得して、Blogコミュニティを構成する各Blogのコンテンツを分析して、規模、活発度、開放度のいずれか１つ以上のコミュニティの属性情報を算出して、属性情報記憶手段に格納するコミュニティ分析手段と、
前記Blogコミュニティ推薦装置から取得したコミュニティ属性に関わるコミュニティ推薦条件に基づいて、前記コミュニティ定義情報記憶手段及び前記属性情報記憶手段を検索し、検索結果として得られたコミュニティ定義情報と属性情報をコミュニティ情報として該Blogコミュニティ推薦装置に送信する検索手段と、
を有し、
前記Blogコミュニティ推薦装置は、
エンドユーザ端末からエンドユーザの所望のコミュニティ属性に関わるコミュニティ推薦条件を取得するコミュニティ推薦条件取得手段と、
前記コミュニティ推薦条件に合致するBlogコミュニティの検索を前記コミュニティ分析装置に要求し、該Blogコミュニティ分析装置から検索結果を取得するコミュニティマッチング手段と、
前記コミュニティ情報を前記エンドユーザ端末からのリクエストに応じて画面表示させるコミュニティ表示制御手段と、
を有することを特徴とするBlogコミュニティ推薦システム。
【請求項３】
相互コミュニケーションを行っている複数のBlogの集合の定義情報であるコミュニティ定義情報を格納するコミュニティ定義情報記憶手段と、分析結果を格納する属性情報記憶手段と、を有し、Blogコミュニティ分析装置として機能するコンピュータに、
前記コミュニティ定義情報記憶手段から該コミュニティ定義情報を取得して、Blogコミュニティを構成する各Blogのコンテンツを分析して、規模、活発度、開放度のいずれか１つ以上のコミュニティの属性情報を算出して、属性情報記憶手段に格納するコミュニティ分析ステップと、
Blogコミュニティ推薦装置から取得したコミュニティ属性に関わるコミュニティ推薦条件に基づいて、前記コミュニティ定義情報記憶手段及び前記属性情報記憶手段を検索し、検索結果として得られたコミュニティ定義情報と属性情報をコミュニティ情報として該Blogコミュニティ推薦装置に送信する検索ステップと、
を実行させることを特徴とするプログラム。
【請求項４】
Blogコミュニティ推薦装置として機能するコンピュータに、
エンドユーザ端末からエンドユーザの所望のコミュニティ属性に関わるコミュニティ推薦条件を取得するコミュニティ推薦条件取得ステップと、
前記コミュニティ推薦条件に合致するBlogコミュニティをBlogコミュニティ分析装置に要求し、該コミュニティ分析装置から検索結果として得られたコミュニティ情報を取得するコミュニティマッチングステップと、
前記コミュニティ情報を前記エンドユーザ端末からのリクエストに応じて該エンドユーザ端末の表示手段に画面表示させるコミュニティ表示制御ステップと、
を実行させることを特徴とするプログラム。
【発明の詳細な説明】
【技術分野】
【０００１】
本発明は、Ｂｌｏｇ（ブログ）コミュニティ推薦方法及び装置及びプログラムに係り、特に、快適なコミュニケーションを可能とする適切なBlogコミュニティをエンドユーザに推薦するためのBlog（ブログ）コミュニティ推薦方法及び装置及びプログラムに関する。
【背景技術】
【０００２】
従来のオンラインコミュニティ推薦技術においては、自然言語処理技術を応用してコミュニティにおける中心的な話題語を抽出し、エンドユーザが関心を持つ話題語との類似性をコサイン類似度等により定量的に評価する方法、また、これが多いコミュニティを推薦する方法が主流である。
【０００３】
また、オンラインコミュニティ推薦技術ではないが、関連する技術として、オンラインコミュニティの情報更新度や閲覧頻度から活性度を定量評価するオンラインコミュニティ評価技術も存在する〔例えば、特許文献１参照〕。
【０００４】
一方、近年急激に数を増やしつつあるBlogサイトは、Blog作者が時系列に基づいて登録するエントリ及びBlog読者が付加するコメント、及び異なるBlogにおいて該エントリに関連するエントリが登録されたことを示すトラックバックより構成されるBlogコンテンツを蓄積すると共に、コメント付与者が自身のBlogのＵＲＬをコメント内に明記した場合には、当該BlogＵＲＬも蓄積する。このため、コメントやトラックバックを受けたBlogと、コメント付与者のBlogやトラックバック送信者のBlogの間には自動的にハイパーリンクが生成され、複数のBlogがこれらのコミュニケーション活動を相互に行うことで、定常的に結びついたオンラインコミュニティを構成可能である（例えば、非特許文献１参照）。このようなコミュニケーション機能の充実が従来のＷｅｂサイトに対するBlogの特徴の一つである。
【０００５】
本発明が対象とするのは、このような複数のBlogサイト間の定常的なコミュニケーションにより構成されるオンラインコミュニティであり、これを特にBlogコミュニティと呼ぶ。
【特許文献１】特開２００５−１１５４７１号公報
【非特許文献１】IT用語辞典e-Words Blog[ブログ]，株式会社インセプト、2005/05/27更新、［2005/07/28検索］、インターネットＵＲＬ<URL:http://e-words.jp/w/Blog.html>
【発明の開示】
【発明が解決しようとする課題】
【０００６】
前述の従来技術においては、エンドユーザが関心を持つ話題とコミュニティの中心的な話題の類似性を定量評価して推薦するため、特定の話題についての情報閲覧を目的とするエンドユーザには適した方法である。しかしながら、快適なコミュニケーションを実現するためには、話題の類似性は十分条件ではなく、オンラインコミュニケーション活動に関するエンドユーザの嗜好に依存した以下のような問題がある。
【０００７】
（１）コミュニティ規模の把握が困難である。このため、例えば、メンバが少ないコミュニティに参加した結果、目立ってしまいストレスを覚える、あるいは、逆にメンバが多いコミュニティに参加した結果、不特定多数のメンバとのコミュニケーションからストレスを覚える、といったケースが存在する。
【０００８】
（２）コミュニティ活発度の把握が困難である。このため、例えばコミュニケーション活動の頻度が高いコミュニティに参加した結果、自身のエントリへのコメントへの回答コメントを頻繁に書き込む必要が生じてストレスを覚えたり、あるいは、逆に活動頻度の低いコミュニティに参加した結果、自身のコメントへの回答がなかなか得られずストレスを覚える、といったケースが存在する。
【０００９】
（３）コミュニティ開放度の把握が困難である。このため、例えば、特定メンバ間のみで密接なコミュニケーションをとっているコミュニティに参加した結果疎外感によるストレスを覚えたり、あるいは、逆にメンバが常に頻繁に入れ替わっているコミュニティに参加した結果、顔の見えない不特定多数とのコミュニケーション活動にストレスを覚える、といったケースが存在する。
【００１０】
上記の（１）〜（３）のいずれについても、従来技術によるコミュニティ推薦方法では事前に提示することが困難であり、エンドユーザはコミュニティ参加前のコンテンツ閲覧活動あるいはコミュニティ参加後の継続的なコミュニケーション活動を通じて規模や活発度や開放度といったコミュニティ属性を読み取る必要がある。
【００１１】
但し、本発明が対象とするBlogコミュニティは、特徴の一つとして、物理的に分散した複数のBlogサーバから構成されるため、コミュニティ参加前のコンテンツ閲覧活動により前述のコミュニティ属性を読み取る作業は多大な労力を要する。
【００１２】
一方、例えば、上記の特許文献１のようなオンラインコミュニティ評価技術においては、情報更新頻度や閲覧頻度から活性度を定量評価するものの、コミュニティ構成メンバ毎の更新頻度という観点が欠けており、一人のメンバがどのような頻度でコミュニケーション活動を行っているか、という評価はできない。このため、上記の（２）のようなケースを解決できない。
【００１３】
つまり、従来のオンラインコミュニティ推薦技術やオンラインコミュニティ評価技術では、規模や活発度や開放度といったコミュニティ属性をエンドユーザがコミュニティ参加前に把握できない、という問題がある。
【００１４】
本発明は、上記の点に鑑みなされたもので、Blogコミュニティ推薦技術において、Blogコミュニティの規模、活発度、解放度といったコミュニティ属性と、エンドユーザのコミュニティ属性に関わる嗜好のマッチングに基づき、コミュニケーションの場として各エンドユーザ毎に適切なBlogコミュニティを推薦することを可能とするBlogコミュニティ推薦方法及び装置及びプログラムを提供することを目的とする。
【課題を解決するための手段】
【００１５】
図１は、本発明の原理を説明するための図である。
【００１６】
本発明（請求項１）は、Blog（ブログ）コミュニティ分析装置とBlogコミュニティ推薦装置を有するシステムにおけるBlogコミュニティ推薦方法であって、
コミュニティ分析装置において、
相互コミュニケーションを行っている複数のBlogの集合の定義情報であるコミュニティ定義情報が格納されたコミュニティ定義情報記憶手段から該コミュニティ定義情報を取得して、Blogコミュニティを構成する各Blogのコンテンツを分析して（ステップ１）、規模、活発度、開放度のいずれか１つ以上のコミュニティの属性情報を算出して、属性情報記憶手段に格納し（ステップ２）、
コミュニティ推薦装置において、
エンドユーザ端末からエンドユーザの所望のコミュニティ属性に関わるコミュニティ推薦条件を取得し（ステップ３）、
コミュニティ推薦条件に合致するBlogコミュニティの検索をコミュニティ分析装置に要求し（ステップ４）、
コミュニティ分析装置において、
コミュニティ推薦装置からの要求であるコミュニティ推薦条件に基づいて、コミュニティ定義情報記憶手段及び属性情報記憶手段を検索し、検索結果として得られたコミュニティ定義情報と属性情報をコミュニティ情報として該コミュニティ推薦装置に送信し（ステップ５）、
コミュニティ推薦装置において、
コミュニティ情報をエンドユーザ端末からのリクエストに応じて画面表示させる（ステップ６）。
【００１７】
本発明（請求項２）は、Blog（ブログ）コミュニティ分析装置１０とBlogコミュニティ推薦装置２０を有するBlogコミュニティ推薦システムであって、
Blogコミュニティ分析装置１０は、
相互コミュニケーションを行っている複数のBlogの集合の定義情報であるコミュニティ定義情報を格納するコミュニティ定義情報記憶手段１２と、
コミュニティ定義情報記憶手段１２から該コミュニティ定義情報を取得して、Blogコミュニティを構成する各Blogのコンテンツを分析して、規模、活発度、開放度のいずれか１つ以上のコミュニティの属性情報を算出して、属性情報記憶手段１３に格納するコミュニティ分析手段１１と、
Blogコミュニティ推薦装置２０から取得したコミュニティ属性に関わるコミュニティ推薦条件に基づいて、コミュニティ定義情報記憶手段１２及び属性情報記憶手段１３を検索し、検索結果として得られたコミュニティ定義情報と属性情報をコミュニティ情報として該Blogコミュニティ推薦装置に送信する検索手段１４と、
を有し、
Blogコミュニティ推薦装置２０は、
エンドユーザ端末からエンドユーザの所望のコミュニティ属性に関わるコミュニティ推薦条件を取得するコミュニティ推薦条件取得手段２１と、
コミュニティ推薦条件に合致するBlogコミュニティの検索をコミュニティ分析装置１０に要求し、該コミュニティ分析装置から検索結果を取得するコミュニティマッチング手段２２と、
コミュニティ情報をエンドユーザ端末からのリクエストに応じて画面表示させるコミュニティ表示制御手段２３と、を有する。
【００１８】
本発明（請求項３）は、相互コミュニケーションを行っている複数のBlogの集合の定義情報であるコミュニティ定義情報を格納するコミュニティ定義情報記憶手段と、分析結果を格納する属性情報記憶手段と、を有し、Blogコミュニティ分析装置として機能するコンピュータに、
コミュニティ定義情報記憶手段から該コミュニティ定義情報を取得して、Blogコミュニティを構成する各Blogのコンテンツを分析して、規模、活発度、開放度のいずれか１つ以上のコミュニティの属性情報を算出して、属性情報記憶手段に格納するコミュニティ分析ステップと、
Blogコミュニティ推薦装置から取得したコミュニティ属性に関わるコミュニティ推薦条件に基づいて、コミュニティ定義情報記憶手段及び属性情報記憶手段を検索し、検索結果として得られたコミュニティ定義情報と属性情報をコミュニティ情報として該Blogコミュニティ推薦装置に送信する検索ステップと、を実行させるプログラムである。
【００１９】
本発明（請求項４）は、コミュニティ推薦装置として機能するコンピュータに、
エンドユーザ端末からエンドユーザの所望のコミュニティ属性に関わるコミュニティ推薦条件を取得するコミュニティ推薦条件取得ステップと、
コミュニティ推薦条件に合致するBlogコミュニティをコミュニティ分析装置に要求し、該コミュニティ分析装置から検索結果として得られたコミュニティ情報を取得するコミュニティマッチングステップと、
コミュニティ情報をエンドユーザ端末からのリクエストに応じて該エンドユーザ端末の表示手段に画面表示させるコミュニティ表示制御ステップと、を実行させるプログラムである。
【発明の効果】
【００２０】
上記のように本発明によれば、Blogコミュニティの規模、活発度、解放度といったコミュニティ属性と、エンドユーザのコミュニティ属性に関わる嗜好のマッチングに基づき、コミュニケーションの場として各エンドユーザ毎に適切なBlogコミュニティを推薦することが可能となる。
【００２１】
また、現在普及しつつある一般的なBlogコンテンツをそのまま利用可能であるため、既存Blogコンテンツをそのままリソースとして利用可能である。
【００２２】
これにより、規模や活発度や開放度といったコミュニティ属性をエンドユーザがコミュニティ参加前に把握できないという従来の問題を解決できる。
【発明を実施するための最良の形態】
【００２３】
以下、図面と共に本発明の実施の形態を説明する。
【００２４】
図３は、本発明の一実施の形態におけるシステム構成を示す。
【００２５】
同図に示すシステムは、Blogコミュニティ分析装置１０、Blogコミュニティ彗星装置２０、エンドユーザ端末３０、Blogコミュニティ抽出装置４０、一般的なウェブログサーバ５０から構成される。
【００２６】
各装置間は、ネットワークによって接続され、更にインターネットを介して一般的なウェブログサーバ５０及びエンドユーザ端末３０と接続されている。
【００２７】
コミュニティ分析装置１０は、コミュニティ分析部１１、コミュニティ定義記憶部１２、属性情報記憶部１３、及びコミュニティ検索部１４から構成される。
【００２８】
コミュニティ定義記憶部１２は、予め一般的なBlogコミュニティ抽出アルゴリズムを実装したBlogコミュニティ抽出装置４０より、インターネット接続され、公開されている一般的なBlogコンテンツからBlogコミュニティが抽出され、当該Blogコミュニティの構成要素を定義したBlogコミュニティ定義情報が作成され、コミュニティ定義記憶部１２に格納されている。
【００２９】
コミュニティ分析部１１は、コミュニティ定義記憶部１２に格納されているコミュニティ定義情報を読み込み、一般的なBlogサーバ５０から取得した、Blogコミュニティを構成する各Blogのコンテンツを分析して、規模、活発度、開放度の少なくとも１つを含むコミュニティ属性情報を算出し、属性情報記憶部１３に格納する。
【００３０】
コミュニティ検索部１４は、Blogコミュニティ推薦装置２０を介してエンドユーザ端末３０から入力されたコミュニティ属性に関わるコミュニティ推薦条件に基づいて、コミュニティ定義情報記憶部１２と属性情報記憶部１３を検索し、検索結果をBlogコミュニティ推薦装置２０に返却する。
【００３１】
Blogコミュニティ推薦装置２０は、コミュニティ推薦条件取得部２１、コミュニティマッチング部２２、コミュニティ表示制御部２３から構成される。
【００３２】
コミュニティ推薦条件取得部２１は、エンドユーザ端末３０からの入力を受け付けて、エンドユーザが所望するコミュニティ属性に関わるコミュニティ推薦条件を取得する。
【００３３】
コミュニティマッチング部２２は、コミュニティ推薦条件取得部２１を介して取得したコミュニティ推薦条件にマッチするBlogコミュニティの検索をBlogコミュニティ分析装置１０のコミュニティ検索部１４にリクエストし、検索結果を取得する。
【００３４】
コミュニティ表示制御部２３は、検索結果（マッチングの結果として得られるコミュニティ情報）をエンドユーザ端末３０からのリクエストに応じて、エンドユーザ端末３０に表示させる。
【００３５】
エンドユーザ端末３０は、入力装置３１と表示装置３２を有する。
【００３６】
図４は、一般的なBlogコンテンツの構成例を示す。一般に、エントリは時系列にて分類され、画像ＵＲＬ等を含むテキスト情報であり、いわゆる日記の書き込み内容に相当する。コメントは、通例、エントリに対してBlog読者が書き込むテキスト情報であり、当該Blog読者が自身のBlogのトップページＵＲＬを明記することも可能であり、明記した場合には、当該コメント内に当該トップページＵＲＬへのハイパーリンクが自動生成される。トラックバックはトラックバック先エントリに関連するトラックバック元エントリであり、トラックバック先Blogが受信したTrackbackPingに基づき、トラックバック元エントリへのハイパーリンクが自動生成される。
【００３７】
ここで、「Blogコミュニティ」と呼ぶものは、頻繁な相互コミュニケーションを行っている複数Blogの集合であり、その定義情報を「Blogコミュニティ定義情報」と呼ぶ。このようなBlogコミュニティ定義情報の実装の単純な一例としては、例えば、“RDF Site Summary (RSS)1.0”, Gabe Beged-Dov & Dan Brickley et.al., 2001/05/30更新、［2004/10/29検索］インターネットURL<URL:http://web.resource.org/rss/1.0/spec>.の形式を用い、当該Blogコミュニティに属するBlogの参照ＵＲＬを<item>タグ配下に記述する。また、当該Blogコミュニティの規模、活発度、開放度等の属性情報をそれぞれ<channel>タグ配下に独自拡張ＸＭＬ形式（例えば、<number><activity><openness>）を以て記述可能である。
【００３８】
次に、上記のシステムの動作を説明する。
【００３９】
図５は、本発明の一実施の形態における動作を説明するための図である。
【００４０】
以下の処理の前提として、予め一般的なBlogコミュニティ抽出アルゴリズムを実装したBlogコミュニティ抽出装置４０により、インターネットに接続され公開されている一般的なBlogコンテンツからBlogコミュニティが抽出され、当該Blogコミュニティの構成要素を定義したBlogコミュニティ定義情報が作成され、コミュニティ定義情報記憶部１２に格納されているものとする。
【００４１】
ステップ１００）  Blogコミュニティ分析装置１０のコミュニティ分析部１１は、Blogコミュニティ定義情報記憶部１２からコミュニティ定義情報を取得してBlogコミュニティを構成する各Blogを分析する。
【００４２】
以下に、分析の方法を示す。
【００４３】
（１）  当該分析は、例えば、まず、当該Blogコミュニティを構成するBlog数を数え上げ、更に全てのBlogコミュニティの構成Blog数分布に対する当該Blogコミュニティの構成Blog数の偏差値を計算し、当該偏差値を当該Blogコミュニティの規模属性の値として、属性情報記憶部１３に蓄積する。
【００４４】
（２）  また、当該分析は、例えば、該Blogコミュニティを構成する各Blogのエントリ及びコメント及びトラックバックについて、各エントリが属するBlogのＵＲＬをエントリの登録者のBloggerIDとし、各コメントに併記されたコメント付与者のBlogURLを当該コメント付与者のBloggerIDとし、各トラックバックの送信元BlogのＵＲＬを当該トラックバックの送信者のBloggerIDとし、各BloggerIDについて平均して当該Blogコミュニティの更新頻度数とし、さらに、全てのBlogコミュニティの更新頻度分布に対する当該Blogコミュニティの更新頻度数の偏差値を計算し、当該偏差値を当該Blogコミュニティの活発度属性の値として属性情報記憶部１３に蓄積する。
【００４５】
（３）  また、当該分析は、例えば、一定期間内に、当該Blogコミュニティを構成するBlog間で相互に付与されたコメント数及び相互に送信されたトラックバック数の和をコミュニティ内トラフィック頻度として算出すると共に、同一の一定期間内に当該Blogコミュニティを構成するBlogと、当該Blogコミュニティに属さないBlog間で相互に付与されたコメント数及び相互に送信されたトラックバック数の和をコミュニティ外トラフィック頻度として算出し、当該コミュニティ内トラフィック頻度を当該コミュニティ外トラフィック頻度で割った値を当該Blogコミュニティのメンバ占有率として算出すると共に、当該Blogコミュニティの構成要素の一定期間内に発生した当該Blogコミュニティの構成要素の追加数、及び離脱数の和を、当該Blogコミュニティに一定期間内に属したことのある全Blogに対して発生し得た追加あるいは離脱の状態遷移数で割った値を、当該Blogコミュニティのメンバ変動率として算出し、上記のメンバ占有率とメンバ変動率にそれぞれ定数で重み付けした値を、当該Blogコミュニティの開放性指数とした上で、更に全てのBlogコミュニティの開放性指数分布に対する当該Blogコミュニティの開放性指数の偏差値を計算し、当該偏差値を当該Blogコミュニティの開放性属性の値として属性情報記憶部１３に蓄積する。
【００４６】
ステップ２００）  Blogコミュニティ推薦装置２０は、コミュニティ推薦条件取得部２１において、エンドユーザ端末３０の入力装置３１からコミュニティの規模属性、活発属性、開放性属性のいずれかまたは、全部の範囲指定を含むコミュニティ推薦条件を一般的なインターネットを介して取得する。ここで、コミュニティ推薦条件としは、例えば、
「規模＜５０ＡＮＤ活発度＞６０ＡＮＤ開放度＞６０」
のような条件である。
【００４７】
ステップ３００）  コミュニティマッチング部２２は、Blogコミュニティ分析装置１０にコミュニティ推薦条件の検索を要求する。
【００４８】
ステップ４００）  コミュニティ分析装置１０は、検索要求に基づいて、コミュニティ定義情報記憶部１２と分析結果が格納されている属性情報記憶部１３を検索してコミュニティ推薦条件を満たすBlogコミュニティ定義情報と属性情報をコミュニティマッチング情報としてコミュニティマッチング部２２に返却する。
【００４９】
ステップ５００）  コミュニティ表示制御部２３は、推薦条件を満たすコミュニティマッチング情報をコミュニティマッチング部２２から取得して、エンドユーザ端末３０にて表示可能な形式、例えば、各Blogコミュニティの規模属性や活発度属性や開放度属性をそれぞれ<channel>タグ配下の<number>及び<activity.>及び<openness>タグの値として埋め込み、各タグを一般的なＷｅｂブラウザで表示可能とするＸＳＬＴスタイルシートを指定したＲＳＳ１．０等の形式に変換した上で、エンドユーザ端末３０に返却する。
【００５０】
これにより、エンドユーザは、規模や活発度や開放度といったコミュニティ属性をコミュニティ参加前に把握することが可能となる。
【００５１】
なお、本発明は、上記の実施の形態のBlogコミュニティ分析装置１０と、Blogコミュニティ推薦装置２０の機能をプログラムとして構築し、Blogコミュニティ分析装置、Blogコミュニティ推薦装置として利用されるコンピュータにインストールし、実行させる、または、ネットワークを介して流通させることが可能である。
【００５２】
また、構築されたプログラムをハードディスク装置や、フレキシブルディスク、ＣＤ−ＲＯＭ等の記憶媒体に格納し、配布することも可能である。
【００５３】
なお、本発明は、上記の実施の形態に限定されることなく、特許請求の範囲内において種々変更・応用が可能である。
【産業上の利用可能性】
【００５４】
本発明は、オンラインコミュニティに適用可能である。
【図面の簡単な説明】
【００５５】
【図１】本発明の原理を説明するための図である。
【図２】本発明の原理構成図である。
【図３】本発明の一実施の形態におけるシステム構成図である。
【図４】一般的なBlogコンテンツ構成及びコミュニケーション例である。
【図５】本発明の一実施の形態における動作を説明するための図である。
【符号の説明】
【００５６】
１０  Blogコミュニティ分析装置
１１  コミュニティ分析手段、コミュニティ分析部
１２  コミュニティ定義情報記憶手段、コミュニティ定義情報記憶部
１３  属性情報記憶手段、属性情報記憶部
１４  検索手段、コミュニティ検索部
２０  Blogコミュニティ推薦装置
２１  コミュニティ推薦条件取得手段、コミュニティ推薦条件取得部
２２  コミュニティマッチング手段、コミュニティマッチング部
２３  コミュニティ表示制御手段、コミュニティ表示制御部
３０  エンドユーザ端末
３１  入力装置
３２  表示装置
４０  Blogコミュニティ抽出装置
５０  ウェブログサーバ
【図１】
2007102635.tif 000003
【図２】
2007102635.tif 000004
【図３】
2007102635.tif 000005
【図４】
2007102635.tif 000006
【図５】
2007102635.tif 000007